(57)【要約】【課題】電線が伸びた際に径間の弛度を一定に保持するための電線の引き寄せ時に生じるジャンパ線の弛みの増加を吸収することができ、これによってジャンパ線の疲労強度の低下、並びにジャンパ線と下相の鉄塔腕金との絶縁離隔距離の減少による危険状態を回避することができるジャンパ線の接続構造を提供する。【解決手段】温度上昇に応じて電線８が伸びた際に、その伸びた長さだけ弛度抑制装置可動アーム部７ａが耐張碍子装置２側に引き寄せられ、この引き寄せに伴い電線８も引き寄せられる。この際、一方の電線引留クランプ６も同様に引き寄せられるので、ジャンパ線９の弛みが増加する。そこで、支持碍子３を、可倒式支持碍子取付座４ｂの復元力によって上記引き寄せ方向と同方向へ倒れるようにして、上記の増加を吸収するようにした。【選択図】図１
2004104855.tif 000002
【特許請求の範囲】
【請求項１】
架空送電線路の径間における温度上昇に伴う電線の伸びを吸収して電線の弛みを抑制する構造を成す際に、電線を鉄塔腕金の両側に引き留める両側のクランプにジャンパ線の端を接続し、この接続間を鉄塔腕金に取り付けられた碍子で把持するジャンパ線の接続構造において、
前記ジャンパ線を把持する碍子は、前記電線の伸びを吸収するための電線の引き寄せ方向へ倒れる復元力を有する
ことを特徴とするジャンパ線の接続構造。
【請求項２】
前記ジャンパ線を把持する碍子は、前記電線に伸びが無い状態にあって、前記ジャンパ線における前記碍子の把持位置と前記両側のクランプへの接続位置との間の双方の弛みが、ほぼ等しくなる位置で前記ジャンパ線を把持する
ことを特徴とする請求項１に記載のジャンパ線の接続構造。
【請求項３】
架空送電線路の径間における温度上昇に伴う電線の伸びを吸収して電線の弛みを抑制する構成にあって、前記電線を鉄塔腕金の両側に引き留める両側のクランプにジャンパ線の端を接続し、この接続間を前記鉄塔腕金に取り付けられた碍子で把持し、この把持を行う碍子を、前記電線の伸びを吸収するための電線の引き寄せ時に、同じ引き寄せ方向へ倒す
ことを特徴とするジャンパ線の弛み吸収方法。
【発明の詳細な説明】
【０００１】
【発明の属する技術分野】
本発明は、架空送電線を中継する鉄塔において、その電線に接続されるジャンパ線の接続構造及びジャンパ線の弛み吸収方法に関する。
【０００２】
【従来の技術】
現在、架空送電線の電流容量を増大させるため電線の許容温度を高めることが検討されている。一般的にアルミ導体製の架空送電線は、導体温度が上昇すれば電線に伸びが生じるので、この伸びによって、鉄塔間（径間という）内で電線の弛みが増加しても、地上との必要な間隔を保てるような高さに架線されている。しかし、既存の架空送電線では、従来の許容温度に対応する電線の弛み（弛度という）の増加しか考慮されていない高さで鉄塔が建設されているため、従来の許容温度を上回る温度にて使用する場合は弛度を抑制する必要がある。この抑制のため、鉄塔の耐張碍子装置側にて電線の伸びを吸収する構造が検討されている。
【０００３】
この構造は、図２のジャンパ線の接続構造に示すように、鉄塔腕金１に取り付けられた耐張碍子装置２に、弛度を抑制する弛度抑制装置本体部７を取り付け、この本体部７の内部で可動する弛度抑制装置可動アーム部７ａに、電線引留クランプ６を介して電線８を接続するものである。
【０００４】
この電線８の端はジャンパ線９で接続される。ジャンパ線９の端は、電線８の端が接続された電線引留クランプ６に接続され、更に、ジャンパ線９の両端の概略中心部分は、鉄塔腕金１に支持碍子取付座４で固定された支持碍子３にジャンパ線把持クランプ５で接続されている。
【０００５】
このような構造においては、導体温度の上昇に応じて電線８が伸びると、図３に示すように、その伸びた長さだけ弛度抑制装置可動アーム部７ａが耐張碍子装置２側に引き寄せられる。この引き寄せられた部分は、弛度抑制装置本体部７に収容される。弛度抑制装置可動アーム部７ａの引き寄せに伴い、電線８も引き寄せられるので、径間の弛度が一定に保持される。
【０００６】
【発明が解決しようとする課題】
しかし、従来のジャンパ線の接続構造においては、電線８の引き寄せに伴い、一方の電線引留クランプ６も同じ長さ引き寄せられるので、ジャンパ線９の支持点間隔が狭められ、９ａで示すように一方の電線引留クランプ６と支持碍子３間のジャンパ線９の弛みが増加することになる。このように弛みが増加すると、ジャンパ線９に大きな曲げ歪みが発生して疲労強度を低下させる原因となり、また、ジャンパ線９の弛み最下点と下相の鉄塔腕金との絶縁離隔距離が減少し、危険な状態に至る問題がある。
【０００７】
本発明は、かかる点に鑑みてなされたものであり、電線が伸びた際に径間の弛度を一定に保持するための電線の引き寄せ時に生じるジャンパ線の弛みの増加を吸収することができ、これによってジャンパ線の疲労強度の低下、並びにジャンパ線と下相の鉄塔腕金との絶縁離隔距離の減少による危険状態を回避することができるジャンパ線の接続構造及びジャンパ線の弛み吸収方法を提供することを目的とする。
【０００８】
【課題を解決するための手段】
上記課題を解決するために、本発明のジャンパ線の接続構造は、架空送電線路の径間における温度上昇に伴う電線の伸びを吸収して電線の弛みを抑制する構造を成す際に、電線を鉄塔腕金の両側に引き留める両側のクランプにジャンパ線の端を接続し、この接続間を鉄塔腕金に取り付けられた碍子で把持するジャンパ線の接続構造において、前記ジャンパ線を把持する碍子は、前記電線の伸びを吸収するための電線の引き寄せ方向へ倒れる復元力を有することを特徴としている。
【０００９】
また、前記ジャンパ線を把持する碍子は、前記電線に伸びが無い状態にあって、前記ジャンパ線における前記碍子の把持位置と前記両側のクランプへの接続位置との間の双方の弛みが、ほぼ等しくなる位置で前記ジャンパ線を把持することを特徴としている。
【００１０】
また、本発明のジャンパ線の弛み吸収方法は、架空送電線路の径間における温度上昇に伴う電線の伸びを吸収して電線の弛みを抑制する構成にあって、前記電線を鉄塔腕金の両側に引き留める両側のクランプにジャンパ線の端を接続し、この接続間を前記鉄塔腕金に取り付けられた碍子で把持し、この把持を行う碍子を、前記電線の伸びを吸収するための電線の引き寄せ時に、同じ引き寄せ方向へ倒すことを特徴としている。
【００１１】
【発明の実施の形態】
以下、本発明の実施の形態について、図面を参照して詳細に説明する。
【００１２】
（実施の形態）
図１は、本発明の実施の形態に係るジャンパ線の接続構造の構成を示す図である。但し、この図１に示す本実施の形態において図２又は図３の従来例の各部に対応する部分には同一符号を付し、その説明を省略する。
【００１３】
この図１に示すジャンパ線の接続構造が、図２又は図３に示した従来の構造と異なる点は、支持碍子３を鉄塔腕金１に固定せず、可倒式支持碍子取付座４ｂによって可倒可能に取り付けたことにある。
【００１４】
即ち、可倒式支持碍子取付座４ｂは、支持碍子３をジャンパ線９の経路方向へのみ倒す可倒構造となっており、一方の電線引留クランプ６が移動することにより生じる片側からのジャンパ線９の弛み増加を、電線引留クランプ６と同方向へ支持碍子３を倒すことによって吸収する。
【００１５】
この際、支持碍子３はある程度の重みがあるので、電線引留クランプ６が移動する方向と同方向へ倒れる復元力が備わっている。この復元力は、鉄塔腕金１への取付側に対して支持碍子３への取付側の座面が回転できるように成された取付座４ｂに、予め想定した復元力に等しい力を発生させることができるバネや他の張力手段を用いることにより実現されている。
【００１６】
但し、支持碍子３を一定方向へのみ倒す方法は、可倒式支持碍子取付座４ｂの自己復元力を利用する以外に、外部からのコントロールによる方法としても良い。
【００１７】
このようなジャンパ線の接続構造において、ジャンパ線９の弛みが正常状態である場合は、図２に示したように、一方の電線引留クランプ６と支持碍子３間並びに、他方の電線引留クランプ６と支持碍子３間の双方のジャンパ線９の弛みがほぼ等しくなるように、言い換えれば支持碍子３がほぼ垂直状態となるように、支持碍子３が復元力と反対方向に引き寄せられてジャンパ線把持クランプ５でジャンパ線９に取り付けられている。
【００１８】
そして、導体温度の上昇に応じて電線８が伸びると、図１に示すように、その伸びた長さだけ弛度抑制装置可動アーム部７ａが耐張碍子装置２側に引き寄せられ、この引き寄せに伴い電線８も引き寄せられる。この際、一方の電線引留クランプ６も同様に引き寄せられるので、ジャンパ線９の弛みが増加するが、支持碍子３は可倒式支持碍子取付座４ｂの復元力によって上記の引き寄せ方向と同方向へ倒れるので、その増加は吸収される。これによって、一方の電線引留クランプ６と支持碍子３間並びに、他方の電線引留クランプ６と支持碍子３間の双方のジャンパ線９の弛みは、ほぼ等しく保持される。
【００１９】
これによって、ジャンパ線９に従来のような弛みの増加による大きな曲げ歪みが発生することは無いので、その曲げ歪みによる疲労強度の低下を防止することができる。また、ジャンパ線９の弛み最下点と下相の鉄塔腕金との絶縁離隔距離が減少することも無くなるので、絶縁離隔距離の減少による危険な状態を回避することができる。
【００２０】
【発明の効果】
以上説明したように、本発明によれば、電線を鉄塔腕金の両側に引き留める両側のクランプにジャンパ線の端を接続し、この接続間を鉄塔腕金に取り付けられた碍子で把持するジャンパ線の接続構造において、ジャンパ線を把持する碍子を、電線の伸びを吸収するための電線の引き寄せ方向へ倒れる復元力を有するものとした。これによって、電線引き寄せ時にクランプが同様に引き寄せられることでジャンパ線の弛みが増加した場合に、碍子がその引き寄せ方向と同方向へ倒れるので、その増加が吸収される。従って、電線が伸びた際に径間の弛度を一定に保持するための電線の引き寄せ時に生じるジャンパ線の弛みの増加を吸収することができ、これによってジャンパ線の疲労強度の低下、並びにジャンパ線と下相の鉄塔腕金との絶縁離隔距離の減少による危険状態を回避することができる。
【図面の簡単な説明】
【図１】本発明の実施の形態に係るジャンパ線の接続構造の構成を示す図である。
【図２】従来のジャンパ線の接続構造の構成を示す図である。
【図３】従来のジャンパ線の接続構造におけるジャンパ線の弛みの増加を示す図である。
【符号の説明】
１　鉄塔腕金
２　耐張碍子装置
３　支持碍子
４ａ　支持碍子取付座
４ｂ　可倒式支持碍子取付座
５　ジャンパ線把持クランプ
６　電線引留クランプ
７　弛度抑制装置本体部
７ａ　弛度抑制装置可動アーム部
８　電線
９　ジャンパ線
【図１】
2004104855.tif 000003
【図２】
2004104855.tif 000004
【図３】
2004104855.tif 000005